(57)【要約】【課題】  効果が持続し、周囲環境に悪影響を及ぼすことがなく、使い勝手の点でも優れた消臭装置を提供することである。【解決手段】  粉末状消臭炭を袋に入れることによって形成される本体（１２）と、径が１×１０-8ｍｍ〜１×１０-6ｍｍの炭素微粒子を所定量の水に混合することによって形成される炭素液が含浸されたフェルト又は不織布で形成され、本体の少なくとも一部を被覆する炭素シート（１４）とを備えていることを特徴とする消臭装置（１０）。好ましくは、消臭装置は、ぬいぐるみの内部又はボックス内に収納されている。【選択図】  図１
0003186396.tif 000002
【実用新案登録請求の範囲】
【請求項１】
粉末状消臭炭を袋に入れることによって形成される本体と、
径が１×１０-8ｍｍ〜１×１０-6ｍｍの炭素微粒子を所定量の水に混合することによって形成される炭素液が含浸されたフェルト又は不織布で形成され、前記本体の少なくとも一部を被覆する炭素シートとを備えていることを特徴とする消臭装置。
【請求項２】
前記粉末状消臭炭が、植物性素材を実質的に無酸素の状態で４００°Ｃ〜８００°Ｃで焼成し、１×１０-4ｍｍ〜１×１０-8ｍｍ程度の粒径になるように粉砕したものに、粉砕した鉱石を混合し、グルテンを６５°Ｃ〜７５°Ｃで２４時間加熱したグルテン加熱物を添加したものであることを特徴とする請求項１に記載された消臭装置。
【請求項３】
前記本体および前記炭素シートが、ぬいぐるみの内部又はボックス内に収納されていることを特徴とする請求項１又は２に記載された消臭装置。
【考案の詳細な説明】
【技術分野】
【０００１】
本考案は、消臭装置に関する。本考案の消臭装置は、冷蔵庫、冷凍庫、トイレ、押し入れ、下駄箱、物置、室内、自動車内、タバコ、針灸院、介護用部屋、室内で飼育されるペットなどの臭気の吸着・分解等の広範な用途に使用される。また、本考案の消臭装置は、冷凍庫のフロンガスの吸着・分解にも使用される。
【背景技術】
【０００２】
従来、消臭装置としては、各種芳香剤、固形式又はスプレー式の脱臭剤の他、備長炭などの炭や籾殻を焼成したものなどが使用されている。
【考案の概要】
【考案が解決しようとする課題】
【０００３】
しかしながら、従来の芳香剤は、臭いがきついものが多く、身体にも影響を及ぼすおそれがあるという課題がある。また、固形式の脱臭剤は、目詰まりし易く、効果が持続しないという課題があり、スプレー式の脱臭剤は、噴霧した場所の湿度が高くなり、周囲の家具などに湿気が付着して、つやがなくなるという課題がある。さらに、炭などを焼成したものは、目詰まりが早いうえ、持続的な効果が薄く、一時的な効果しか得られないという課題がある。このように、従来の消臭装置は、効果の持続性や周囲環境に及ぼされる影響、及び使い勝手の点で改善すべき点があるため、これらの改善点を克服した消臭装置が要請されている。
【０００４】
本考案は、このような状況に鑑みて開発されたものであって、効果が持続し、周囲環境に悪影響を及ぼすことがなく、使い勝手の点でも優れた消臭装置を提供することを目的としている。
【課題を解決するための手段】
【０００５】
本願請求項１に記載の消臭装置は、粉末状消臭炭を袋に入れることによって形成される本体と、径が１×１０-8ｍｍ〜１×１０-6ｍｍの炭素微粒子を所定量の水に混合することによって形成される炭素液が含浸されたフェルト又は不織布で形成され、前記本体の少なくとも一部を被覆する炭素シートとを備えていることを特徴とするものである。
【０００６】
本願請求項２に記載の消臭装置は、前記請求項１の装置において、前記粉末状消臭炭が、植物性素材を実質的に無酸素の状態で４００°Ｃ〜８００°Ｃで焼成し、１×１０-4ｍｍ〜１×１０-8ｍｍ程度の粒径になるように粉砕したものに、粉砕した鉱石を混合し、グルテンを６５°Ｃ〜７５°Ｃで２４時間加熱したグルテン加熱物を添加したものであることを特徴とするものである。
【０００７】
本願請求項３に記載の消臭装置は、前記請求項１又は２の装置において、前記本体および前記炭素シートが、ぬいぐるみの内部又はボックス内に収納されていることを特徴とするものである。
【考案の効果】
【０００８】
本考案の消臭装置は、特別に調製した消臭炭を使用しているので、周囲環境に悪影響を及ぼすことなく、消臭効果を効率的に発揮することができる。本考案の装置は、消臭効果が薄れてきた場合に、太陽光に当てることによって消臭機能が回復し、再利用することができる。また、本考案の消臭装置は、単体で使用することもできるし、ぬいぐるみやボックス等に収納して使用することもできる。なお、本考案の消臭装置をぬいぐるみに収納すると、ぬいぐるみに静電気が発生しにくくなり、埃が付きづらくなるという副次的効果を得ることもできる。本考案の消臭装置は、比較的低コストで製造することができ、炭素シートに取付部を設けることにより、本体に炭素シートを取り付けるのが容易になり、使用者にとって使い勝手がよくなる。
【図面の簡単な説明】
【０００９】
【図１】図１（ａ）は、本考案の好ましい実施の形態に係る消臭装置の平面図、図１（ｂ）は、図１（ａ）の線１ｂ−１ｂに沿って見た断面図である。
【図２】本考案の好ましい実施の形態に係る消臭装置の分解斜視図である。
【図３】考案明の好ましい実施の形態に係る消臭装置がぬいぐるみの内部に収納されている状態を示した図である。
【図４】考案明の好ましい実施の形態に係る消臭装置がボックスに収納されている状態を示した図である。
【考案を実施するための形態】
【００１０】
次に図面を参照して、本考案の好ましい実施の形態に係る消臭装置について詳細に説明する。図１（ａ）は、本考案の好ましい実施の形態に係る消臭装置の平面図、図１（ｂ）は、図１（ａ）の消臭装置の断面図である。
【００１１】
図１（ａ）において全体として参照符号１０で示される本考案の好ましい実施の形態に係る消臭装置は、本体１２を備えている。
【００１２】
本体１２は、粉末状消臭炭１２ａを袋１２ｂに入れることによって形成されている。粉末状消臭炭１２ａは、植物性素材（木、籾殻など）を実質的に無酸素の状態で４００°Ｃ〜８００°Ｃで焼成し、１×１０-4ｍｍ〜１×１０-8ｍｍ程度の粒径になるように粉砕したものに、粉砕した鉱石を混合し、さらにグルテン加熱物（グルテンを６５°Ｃ〜７５°Ｃで２４時間加熱したもの）を添加したものである。
【００１３】
焼成し粉砕した植物性素材と、粉砕した鉱石との混合比率は、好ましくは、９９容積％：１容積％である。
【００１４】
消臭装置１０はまた、本体１２の少なくとも一部を被覆する炭素シート１４を備えている。
【００１５】
炭素シート１４は、所定の炭素液が含浸されたフェルト又は不織布で形成されている。炭素シート１４を形成するフェルト又は不織布に含浸される炭素液は、径が１×１０-8ｍｍ〜１×１０-6ｍｍの炭素微粒子を所定量の水に混合することによって形成される液体である。炭素液における炭素微粒子の割合は、全体の２容量％であるのが好ましい。
【００１６】
なお、炭素シート１４が「本体１２の少なくとも一部を被覆する」とは、炭素シート１４によって本体１２が完全に被覆されている場合の他、図１（ｂ）に最も良く示されるように、袋１２ｂの上端と下端が露出した状態で袋１２ｂの周囲が炭素シート１４によって被覆されている場合のように、袋１２ｂが部分的に炭素シート１４によって被覆されている場合も含むことを意味する。
【００１７】
消臭装置１０はまた、炭素シート１４を本体１２の所定箇所に取り付けるための取付部１４ａを備えている。取付部としては、例えば、面状ファスナ、スナップ、紐、又はゴムバンドなどがあげられる。
【００１８】
図３は、本考案の好ましい実施の形態に係る消臭装置１０が内部に収納されたぬいぐるみを示している。
【００１９】
また、図４は、本考案の好ましい実施の形態に係る消臭装置１０が内部に収納されたボックスを示している。ボックスを網袋に入れ、室内又は自動車内に吊り下げることにより、消臭効果を得ることともに、一種のインテリアとしても活用することができる。
【００２０】
消臭装置１０の炭素シート１４は、非導伝性を有しており、本体１２の粉末状消臭炭１２ａとの相乗作用により、臭気を吸着・分解するので、効果的な消臭効果を発揮することができる。また、ぬいぐるみに収納することにより、消臭装置としての使用に加えて、ぬいぐるみへの静電気の発生を防止し、埃が付きにくくする効果を得ることもできる。
【００２１】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２２】
例えば、図示された消臭装置は、単なる例示的にものにすぎず、図示された以外の形態に形成してもよい。また、消臭装置が収納されたぬいぐるみやボックスも本考案の一例を示したものにすぎない。
【符号の説明】
【００２３】
１０  消臭装置
１２  本体
１２ａ  粉末状消臭炭
１２ｂ  袋
１４  炭素シート
１４ａ  取付部（面状ファスナ）
【図１】
0003186396.tif 000003
【図２】
0003186396.tif 000004
【図３】
0003186396.tif 000005
【図４】
0003186396.tif 000006